(57)【要約】      （修正有）【課題】歩行やハイキングや登山等の時に、脱いだ上衣を持ち運ぶときでも、手や腕が自由に使える上衣を提供する。【解決手段】上衣１の内側の襟４の襟首中央部３と上衣１の内側の両方の袖６ａ、ｂの下袖付部７ａ、ｂ部とを背負い紐２でつないで脱いだ上衣１を背負えるようにした。また、上衣１の内側の襟４の襟首中央部３と上衣１の内側の袖６ａ、ｂの下袖付部７ａ、ｂとにボタン穴等の背負い紐２ａ、ｂとの係合手段を設けた。【選択図】図１
2013060691.tif 000002
【特許請求の範囲】
【請求項１】
上衣１の襟４の内側の襟首中央部３と上衣１の内側の両方の袖６ａ、ｂの下袖付部７ａ、ｂとの間に、背負い紐２ａ、ｂを設けたことを特徴とした上衣１。
【請求項２】
上衣１の内側の襟４の襟首中央部３と上衣１の内側の両方の袖６ａ、ｂの下袖付部７ａ、ｂとにボタン穴８等の背負い紐２ａ、ｂとの係合手段を設けたことを特徴とした請求項１の上衣１。
【請求項３】
背負い紐２ａ、ｂの中央部と両端にボタン９等の上衣１との係合手段を設けたことを特徴とした請求項１の背負い紐２。
【発明の詳細な説明】
【技術分野】
【０００１】上衣の持運びに関する。
【背景技術】
【０００２】歩行等の時に脱いだ上衣を持ち運ぶ方法である。
【先行技術文献】
【特許文献】
【０００３】
【特許文献１】実公−第３０１４９５０号
【発明の概要】
【発明が解決しようとする課題】
【０００４】歩行時やジョギングやハイキング、山登りなどの運動時に初めは涼しいが次第に暑くなって上衣を脱ぐことがある。脱いだ上衣を持ち運ぶ方法は、手提げ袋に入れるとか、折りたたんで手に持つか、腕に掛けるか、腰に巻きつけるか、肩に掛けるか、リュックサックに入れるか、などの方法があるが、袋に入れたり手に持ったり腕に掛けたりすると両手や両腕を自由に使うことが出来ず、また肩にかけたり、腰に巻いたりすると両手は使えるが落としたり、紛失したりする心配がある。またリュックサックに入れると嵩張る等の問題がある。【０００５】先行技術として防寒着の背中に複数の穴を開けてリュックサックの背負い紐を貫通させることを特徴として、リュックサックと上衣を一体として背負えるようにした非常用リュックサック付き防寒具がある。このリュックサックと防寒具はそれぞれ別々に使うことも可能であるが、別々に使うと上衣を背負う紐はリュックサックに取り付けられるので上衣を背負うことは出来ないし、またこの防寒着を着て暑くなり脱いで背負うためには必ずリュックサックと一体でなければならないと云う問題がある。
健康増進のための歩行時やジョギングなどの運動時では冬季に防寒具を着てもリュックサック等は使用しないので暑くなって脱いだ上衣をどうするかは問題であった。
この様な運動時に両手両腕を自由に動かせるようにしたまま脱いだ上衣を運ぶ方法を解決するのが本発明の課題である。
【課題を解決するための手段】
【０００６】上衣１の内側の襟４の襟首中央部分３と上衣１の内側の両方の袖６ａ、ｂの下袖付部７ａ、ｂとの間に、背負うための紐２ａ、ｂを設け、上衣１を脱いだ時に背負えるようにする。
【発明の効果】
【０００７】本発明を実施した上衣１を着ると、運動しながら着ている上衣１の袖６ａ、ｂから両方の腕を脱いでも、背負い紐２ａ、ｂで上衣を背負うことが出来るので、両手両腕を自由に動かすことが出来るほか、上衣１を落としたり紛失したりする心配がなく安心である。【０００８】朝寒い時や涼しい時にＴシャッツ等の上にダウンジャケット等を着たりフードつきのジャンパー等を着て歩いたり走ったりの運動をすると次第に暑くなるので、上衣の前を開けて風を入れたり上衣の袖を脱いだりすることが多いが、本発明の背負える上衣を着れば脱いだ上衣を背負えるので、どうやって持つか等の心配をしないで良い又両腕が自由に動かせるので両腕を振りながらのジョギングができる。また休んだりして涼しくなったら直ぐに着られるので便利である。
上衣を背負ったときも腕を抜いただけなので上衣のポケット等が下向きになって物を落とすこともないので安心である。
【図面の簡単な説明】
【０００９】
【図１】本発明の全体を示す図である
【図２】本発明の実施例を示す図である
【図３】本発明の実施例の上衣を示す図である
【図４】本発明の実施例の背負い紐を示す図である
【図５】本発明の上衣を脱いだ実施例を示す図である
【発明を実施するための形態】
【００１０】上衣１の内側の襟４の襟首中央部３と上衣１の内側の両方の袖６ａ、ｂの下袖付部７ａ、ｂとの間に背負うための背負い紐２ａ、ｂを設け、脱いだ上衣１を背負えるようにする。
【実施例】
【００１１】図１に示す上衣１の内側の襟４の襟首中央部３と上衣１の内側の両方の袖６ａ、ｂの下袖着部７ａ、ｂとの間に背負い紐２ａ、ｂを設け、脱いだ上衣１を背負えるようにした。【００１２】図２に示す実施例は、図３に示す上衣１の内側の襟４の襟首中央部３と上衣１の内側の両方の袖６ａ、ｂの下袖付部７ａ、ｂとにボタン穴８を設けた上衣１のボタン穴８と、図４に示す背負い紐２ａ、ｂの中央部と両端部にボタン９を取り付けて成る背負い紐２ａ、ｂのボタン９とを係合したことを特徴とした上衣１を示す。【００１３】図４に示す背負い紐２は図３に示す上衣１の襟首中央部３から袖６ａ、ｂの下袖付部７ａ、ｂまで途中に止めが無く一本であるが、マジックテープなどで袖６ａ、ｂの上袖付部５ａ、ｂの付近に背負う時に外せるように止め付けても良い。この背負い紐２ａ、ｂの位置は、上衣１を着る時には胸側でも背中側でも良く、片方ずつ腕を袖から脱いで背負い紐２に腕を通しても良く、上衣１を全部脱いでから背負い紐２に腕を通して背負っても良い。【００１４】この背負い紐２は上衣１と同じ色柄素材で作成しても良い、また伸び縮みするゴム紐やストラップ等を使用すると上衣１の袖６ａ、ｂから腕を抜くときや着る動作が容易になる。また上衣１への背負い紐２の取り付けは、縫い付けやボタン等による取り付けのほか、背負い紐２の端部を上衣１のボタンの穴に結び付けても良いし、バックルやフック等の係合手段を背負い紐２に設けて上衣１のボタンの穴に止め付けても良い。また上衣１の襟首中央部３と下袖付部７ａ、ｂにボタンを付け背負い紐２にボタン穴を設けてもよいし、また背負い紐を取り付ける位置は襟首中央部や下袖付部でなくても良く、背負い紐も２本に分けて取りつけても良いことは勿論である。【００１５】図５は上衣１を脱いで背負った状態を示す。人体は図示していないが背負い紐２は人の肩に背負われた状態を示している。背負った時の上衣の形状は上衣の種類により異なるので図の通りにはならないのは勿論である。
【産業上の利用可能性】
【００１６】本発明は大人の上衣だけでなく子供の上衣にも使用することが出来、歩きながら、運動しながら、子供の場合は通学や遊びながら脱いだり着たり出来て、手に持つ必要がなく、両手が自由に使えるのでバランスを取りやすく安全に歩いたり走ったりできる。
【符号の説明】
【００１７】１              上衣
２ａ、ｂ        背負い紐
３              襟首中央部
４              襟
５ａ、ｂ        上袖付部
６ａ、ｂ        袖
７ａ、ｂ        下袖付部
８              ボタン穴
９              ボタン
【図１】
2013060691.tif 000003
【図２】
2013060691.tif 000004
【図３】
2013060691.tif 000005
【図４】
2013060691.tif 000006
【図５】
2013060691.tif 000007